(57)【要約】【課題】電話機として使用する際には電話機本体の液晶表示部を従来の携帯電話と同じようにそのままの携帯で使用することができ、大容量の情報の表示が必要な場合は第２の液晶表示部を反転させて電話機本体の液晶表示部と共に大領域の表示部を形成できるとともに、大領域の液晶表示部として使用するときに隠されていた太陽電池が外部に露出して補助電源として動作する携帯電話機を提供すること。【解決手段】電話機本体１の回動板４よって隠される面、又は前記回動板４の第２液晶表示部５を設けた面と反対側の面、若しくはこれら両方の面に太陽電池１１が設けられている構造。【選択図】        図２
2005006226.tif 000002
【特許請求の範囲】
【請求項１】
表面に第１の液晶表示部（２）を備えた電話機本体（１）と、電話機本体（１）の一縁部に設けられたヒンジ部（３）を介して電話機本体（１）の背面に折り込まれた回動板（４）とを備え、この回動板（４）が電話機本体（１）の背面に密着して折り込まれた閉じ姿勢においてその外表面に第２の液晶表示部（５）が設けられており、該第２の液晶表示部（５）が第１の液晶表示部（２）と同じ方向に向く姿勢まで回動板（４）が回動できるように形成されている携帯電話機であって、電話機本体（１）の前記回動板（４）よって隠される面、又は前記回動板（４）の第２液晶表示部（５）を設けた面と反対側の面、若しくはこれら両方の面に太陽電池（１１）が設けられている携帯電話機。
【発明の詳細な説明】
【０００１】
【発明が属する技術分野】
本発明は、文字や画像を表示する液晶表示部を備えた小型携帯電話機に関するものである。
【０００２】
【従来の技術】
近年、携帯電話機は携帯性の向上のために小型化が進んでいる。その反面、電話機の機能に加えてインターネットや各種情報の出力端末としての機能が追加されて大容量の情報の表示が可能な液晶表示部が要求されるようになった。そこで例えば特開平１１−２４９５９６号公報に示すように、電話機本体の液晶表示部に開閉可能な蓋体を設けてこの蓋体の裏面に第２の液晶表示部を形成し、使用時に蓋体を開放して電話機本体の液晶表示部と第２の液晶表示部とがマルチ表示部として使用できるようにしたものが提供されている。
【０００３】
【発明が解決しようとする課題】
しかし、上記従来タイプでは、電話機本体の液晶表示部が蓋体によって常時閉ざされているので、通常の電話機として使用するときに液晶表示部を見ることができず、その都度蓋体を開放して使用しなければならない、といった欠陥があった。また、電話機本体の液晶表示部と第２の液晶表示部の両方をマルチ表示部として使用する場合、消費電力が多くなって使用時間に限界がある、といった問題点もある。
【０００４】
そこで本発明は、電話機として使用する際には電話機本体の液晶表示部を従来の携帯電話と同じようにそのままの形態で使用することができ、インターネット等の大容量の情報の表示が必要な場合は電話機背面に折り畳んである第２の液晶表示部を反転させて電話機本体の液晶表示部と共に大領域の表示部を形成できるとともに、第２液晶部を使用するときは隠されていた太陽電池が表面に露出して補助電源として作動し、長時間の使用を可能とした携帯電話機を提供することを主たる目的とするものである。
【０００５】
【課題を解決するための手段】
上記目的を達成する為に本発明では次のような技術的手段を講じた。即ち、本発明にかかる携帯電話機にあっては、表面に第１の液晶表示部２を備えた電話機本体１と、電話機本体１の一縁部に設けられたヒンジ部３を介して電話機本体１の背面に折り込まれた回動板４とを備え、この回動板４が電話機本体１の背面に折り畳まれて密着した閉じ姿勢においてその外表面に第２の液晶表示部５が設けられており、該第２の液晶表示部５が第１の液晶表示部２と同じ方向に向く姿勢まで回動板４が回動できるように形成されている携帯電話機であって、電話機本体１の前記回動板４よって隠される面、又は前記回動板４の第２液晶表示部５を設けた面と反対側の面、若しくはこれら両方の面に太陽電池１１が設けられている構造とした。
【０００６】
上記太陽電池１１は、電話機本体１の前記回動板４よって隠される面と、前記回動板４の第２液晶表示部５を設けた面とは反対側の面の両方に設けるのが好ましいが、その何れか一方であっても良い。
【０００７】
【発明の実施の形態】
以下、本発明の構成を図に示した実施例に基ずき説明する。図１〜図３は本発明の第１実施例を示すもので、符号１は電話機本体を示す。該電話機本体１の表面には従来の携帯電話機と同じように第１の液晶表示部５や各種操作ボタン７…、マイク８、スピーカー９が設けられており、上端にはアンテナ１０が設けられている。尚、図中１２は電話機本体に取り付けられた電池、１３はカメラレンズを示す。
【０００８】
前記電話機本体１の一縁部に設けられたヒンジ部３を介して回動板４が電話機本体１の背面に重なるように折り込まれて取り付けられている。この回動板４が電話機本体１の背面に折り込まれて密着した閉じ姿勢において、その外表面に第２の液晶表示部５が設けられており、該第２の液晶表示部５が第１の液晶表示部２と同じ方向に向く姿勢まで回動板４が回動反転できるように形成されている。
【０００９】
更に、電話機本体１の前記回動板４よって隠される面と、前記回動板４の第２液晶表示部５を設けた面と反対側の面の両方に太陽電池１１、１１が設けられている。これら太陽電池１１，１１は、図２並びに図３に示すように、回動板４を反転させて第２液晶表示部５を電話機本体１の液晶表示部２と共に大領域の表示部を形成させて大容量の文字や図形を表示させるときに外部に露出して補助電源として動作するように形成されている。
【００１０】
上記の構成において、本発明の携帯電話機を通常の電話機として使用するときは、図１に示すように回動板４を電話機本体１の背面に密着させた姿勢にしたまま使用すればよい。これにより従来の電話機と同じように電話機本体１の液晶表示部２に電話番号等の文字や図形を表示させて使用することができる。また、インターネット等の大容量の情報の表示が必要な場合は、図２に示すように電話機背面に折り畳んである回動板４を反転させて第２液晶表示部５を電話機本体１の液晶表示部２と共に大領域の表示部を形成させて大容量の文字や図形を表示させることができる。このとき、太陽電池１１，１１は外部に露出して補助電源として動作するので、大領域の液晶表示部にもかかわらず長時間の使用に耐えることができる。また回動板４を電話機本体１の背面に折り込んだ姿勢では太陽電池１１、１１は隠されているので、形態電話機の外的美観や意匠観を損なうことが無い。
【００１１】
前記回動板４は電話機本体１の背面に密着させた姿勢および反転回動させた姿勢において、夫々の姿勢が安定保持できるように簡単なラッチや係合手段を設けるのが好ましい。
【００１２】
又本発明では、図４並びに図５に示すように、電話機本体１が各種操作ボタン７を備えた本体部１ａと液晶表示部２を備えたパネル部１ｂとによって形成し、パネル部１ｂが本体部１ａに対して蝶番１４を介して折り畳みできるように形成された二つ折り式の携帯電話機にも適応することができる。即ち、前記パネル部１ｂの背面部に前記第１実施例と同様にヒンジ３を介して第２の液晶表示部５を備えた回動板４を回動自在に取り付け、電話機本体１のパネル部１ｂの前記回動板４よって隠される面と、前記回動板４の第２液晶表示部５を設けた面と反対側の面の両方に太陽電池１１、１１を設ける。これにより先に示した第１実施例と同様に動作することができる。
【００１３】
以上本発明の代表的と思われる実施例について説明したが、本発明は必ずしもこれらの実施例構造のみに限定されるものではない。例えば上記実施例で示した太陽電池１１、１１の何れか一方を省略することも可能である。その他本発明では、その構成要件を備え、かつ本発明の目的を達成し、下記の効果を奏する範囲内において適宜改変して実施できるものである。
【００１４】
【発明の効果】
以上詳述したごとく本発明によれば、普通の電話機として使用するときはそのままの状態で従来の電話機と同じように電話機本体の液晶表示部に電話番号等の文字や図形を表示させて使用することができるものでありながら、インターネット等の大容量の情報の表示が必要な場合は、電話機背面に折り畳んである回動板を反転させてこれの液晶表示部を電話機本体の液晶表示部と共に大領域の液晶表示部を形成させることができると共に、大領域の液晶表示部として使用するときに太陽電池が外部に露出して補助電源として動作するので、長時間の使用にも耐えることができ、加えて回動板を電話機本体の背面に折り込んだ姿勢では太陽電池は隠されるので、形態電話機の外的美観を損なうことが無く、従来と同じ意匠観で形成することができる、といった効果がある。
【図面の簡単な説明】
【図１】本発明に係る携帯電話機の第１実施例を示す斜視図。
【図２】上記携帯電話機の回動板を回動、展開させた状態を示す正面図。
【図３】上記携帯電話機の回動板を回動、展開させた状態を示す背面図。
【図４】本発明に係る携帯電話機の第２実施例を示す図２同様の正面図。
【図５】上記第２実施例の背面図。
【符号の説明】
１  電話機本体
２  電話機本体の第１の液晶表示部
３  ヒンジ部
４  回動板
５  第２の液晶表示部
１１  太陽電池
【図１】
2005006226.tif 000003
【図２】
2005006226.tif 000004
【図３】
2005006226.tif 000005
【図４】
2005006226.tif 000006
【図５】
2005006226.tif 000007